(57)【要約】【課題】  、本発明の目的は、人体の腰部を支え、人体の腰部を直立・後ろ仰向け・前へ傾ける時に常に支えが得られるようにし、柔らかい腰部支え部品がある椅子を作ることにある。【解決手段】  シート、椅子の背、一対のハンドル、ベースアセンブリからなる椅子であり、柔らかい腰部支え部品は、靭性のある柔らかい支え部品と椅子に接続され、いすの柔らかい支え部品が椅子の腰部部分で水平方向で移動でき、柔らかい支え部品が紐状、帯状、縄状類のもので、柔らかい支え部品は椅子のハンドルに接続され、ハンドルに設置された移動装置を通し、腰部部分で水平的に移動することを特徴とする。【選択図】図１【特許請求の範囲】
【請求項１】
柔らかい腰部支え部品があり、シート、椅子の背、ハンドル、ベース部品からなる椅子、その特徴として、靭性のある柔らかい支え部品と椅子に接続され、柔らかい支え部品が椅子の腰部部分で水平方向で移動できること。
【請求項２】
請求項１で述べられている、柔らかい支え部品のある椅子であって、前記の柔らかい支え部品は紐状、帯状、縄状類のもので、柔らかい支え部品は椅子のハンドルに接続され、ハンドルに設置された移動装置を通し、腰部部分で水平的に移動することを特徴とする。
【請求項３】
請求項２で述べられている、柔らかい腰部支え部品のある椅子であって、前記の柔らかい支え部品とハンドルの移動装置は移動式接続物或いは固定式接続物であることを特徴とする。
【請求項４】
請求項２で述べられている、柔らかい腰部支え部品のある椅子であって、前記の柔らかい支え部品は柔軟部品で、柔軟部品の真ん中は柔軟体で、その両側のトップは、中心軸を通し、それぞれ位置づけボタンが付けられ、中心軸は両側のハンドルの移動装置に沿って移動できることを特徴とする。
【請求項５】
請求項２で述べられている、柔らかい腰部支え部品のある椅子であって、前記ハンドルに設置された移動装置はレールと止め溝からなり、柔軟部品がレールに沿って水平移動する或いは止め溝のロックボタンを通して止め溝に固定され、セルフロック状態になることを特徴とする。
【請求項６】
請求項５で述べられている、柔らかい腰部支え部品がある椅子であって、前記柔軟部品の両側のトップの位置づけボタンは止め溝の中にはめられ、位置づけボタンの後ろの中心軸はレールに沿って移動できることを特徴とする。
【請求項７】
請求項５で述べられている、柔らかい腰部支え部品がある椅子であって、前記支え部品の両側のトップは、柔軟体の自重で、位置づけボタンと止め溝が分かれ、柔らかい支え部品がレールに沿ってハンドルの末端に滑り、自動的に元に復元することを特徴とする。
【請求項８】
請求項7で述べられている、柔らかい腰部支え部品がある椅子であって、前記柔らかい支え部品が自動的に復元後、椅子に設置された収納槽に収納されることができることを特徴とする。
【請求項９】
請求項５で述べられている柔らかい支え部品がある椅子であって、前記移動装置のレールは下へ伸びて弧線状となっていることを特徴とする。
【請求項１０】
請求項４で述べられている柔らかい腰部支え部品がある椅子であって、前記柔軟体の外表面に生地、皮などスポンジのようなマッドが包まれ、按摩ブロックが柔軟体の中或いは外に付けられることを特徴とする。
【発明の詳細な説明】
【技術分野】
【０００１】
本発明は椅子の部品、特に柔らかい腰部支え部品がある椅子に関するものである。
【背景技術】
【０００２】
従来の椅子の支え腰部椅子は普通椅子の腰部部分に水平方向の出た腰部支え部品が固定され、人体は後ろへ90°以上仰向け、腰部に支え部品の前へ行く支え力がかかる。しかし、当該支え部品が普通椅子の背の中に付けられ、いすと一体化となり、椅子の背の中の支え部品は人体の腰部の位置に対して上下移動できるが、水平移動はできない。しかし、人体が垂直して腰掛ける或いはちょっと前へ傾けるとき、腰部に支えがなく、疲れやすくなる。人体が長期的にまっすぐに腰掛けると、その背中に、特に腰部に悪い。
【発明の開示】
【発明が解決しようとする課題】
【０００３】
上述の従来技術の問題に対し、本発明の目的は、人体の腰部を支え、人体の腰部を直立・後ろ仰向け・前へ傾ける時に常に支えが得られるようにし、柔らかい腰部支え部品がある椅子を作ることにある。
【課題を解決するための手段】
【０００４】
本発明の課題を解決するための手段はシート、椅子の背、ハンドル、ベース部品を含む。その特徴として、靭性がある柔らかい支えを椅子に付け、柔らかい支えが椅子の腰部部分で水平方向で移動できるのである。
【０００５】
前記の柔らかい支えは、紐状、帯状、縄状類のもので、柔らかい支えが椅子のハンドルと接続され、ハンドルに設置された移動装置で腰部部分で水平に移動する。
【０００６】
前記の柔らかい支えとハンドルの移動装置は移動式接続物或いは固定式接続物である。
【０００７】
前記の柔らかい支えは柔軟部品で、柔軟部品の真ん中は柔軟体で、その両側のトップは中心軸を通し、位置づけボタンが取付けられ、中心軸は両側のハンドルの移動装置に沿って移動できる。
【０００８】
前記のハンドルに設置された移動装置はレールと止め溝からなり、柔軟部品は下へ伸びる弧線状のレールに沿って水平移動する或いは止め溝のロックボタンを通し、止め溝に固定され、セルフロック状態となる。
【０００９】
前記の柔軟部品の両側のトップの位置づけボタンは止め溝にはめられ、位置づけボタンの後ろの中心軸はレールに沿って移動できる。
【００１０】
前記の柔らかい支えの両側のトップで、柔軟体の自重で位置づけボタンと止め溝が離れ、柔らかい支え部品がレールに沿ってハンドルの末端に滑り、自動的に元に復元する。
【００１１】
前記の柔らかい支え部品は自動的に復元後、椅子の収納槽に収納される。
【００１２】
前記の柔軟体の外表面に生地、皮などスポンジのような柔らかいマッドに包まれ、按摩ブロックを柔軟体の中に或いは外に付けられる。
【発明の効果】
【００１３】
本発明は柔らかい腰部支え部品がある椅子を出し、椅子の構造が簡単で、操作性がよく、その特徴として、椅子の腰部部位に独立して水平方向で移動できる柔らかい腰部支え部品をつけ、人体の腰部が椅子のどの位置にあっても、支えられ、腰部の負荷が軽くなるようにすることと、使わない時、自動的に元に復元・収納されることである。
【００１４】
柔らかい支え部品が紐状、帯状、縄状の柔軟部品の形でハンドルに接続され、人体が柔軟部品の柔軟体に寄りかかったとき、柔軟体が座る者の腰部と背中に圧が掛かり、そして座る者の腰部、背中、筋肉及び神経の圧迫されている状況を改善する。
【００１５】
本発明で述べられている柔軟体とは紐状、帯状、縄状などの柔らかいものを指す。当該柔軟体は人体に当たり、人体の形に合わせてくっつき、支えの働きをする。
【発明を実施するための最良の形態】
【００１６】
実施例1
図1、図2、図3、図4の如く、本発明の椅子1に椅子のシート6、椅子の背2、ハンドル5、ベース部品7がある。柔らかい支え部品3とハンドル5の中に置かれた移動装置が互いにはめられ、移動装置4を通し、椅子1の腰部部分で水平移動できる。
【００１７】
柔らかい支え部品3に靭性のある縄状柔軟部品があり、真ん中は柔軟体31で、その末端にそれぞれ中心軸32と位置づけボタン33につなぐ。
【００１８】
移動装置4はハンドル5の中に置かれ、移動装置4に下へ伸びて弧線状のレール41を含み、レール41に少なくとも止め溝42が3つ付けられ、柔らかい支え部品3の位置づけボタン33ははめられ、止め溝42に固定されることができる。
【００１９】
柔らかい支え部品3は重力でハンドル5の末端に滑り、椅子のシート6と椅子の背2の間の隙間に収納でき、椅子の外観は崩れなくて済む。同時に、柔らかい支え部品3は腰部の圧がない状態で、自身の重力により、移動装置4のレール41に沿ってレールの末端に落ち、自動的に復元できる。
【００２０】
実施例2
図5の如く、使用前、柔らかい支え部品3は重力でハンドル5の末端に置かれ、使用時に、座る者が後ろへ仰向け、手で柔らかい支え部品3を引き、腰部にくっつくようにして柔らかい支え部品3の位置づけボタン33とハンドルの上の移動装置4の中の止め溝42を通し、嵌めあって固定する。このとき、柔軟体31は腰部にくっつき、人体が後ろへ仰向けるとき、柔軟体31の支えが得られる。
【００２１】
座る者が柔らかい支え部品3を使わない時、人体の腰部を柔らかい支え部品3を離し、柔軟部品は外力の弱まりで、柔らかい支え部品3は重力で、中心軸32は重力で自動的に止め溝42から離れ、レール41に沿ってレールの末端に滑り落ち、ハンドル5の末端に落ち、収納される。つまり自動的に復元され（元の状態に戻る）、椅子の元の外観になる。
【００２２】
実施例3
図6の如く、本発明で、座る者がまっすぐに座り、腰部の支えをほしがる時、柔らかい支え部品3を上げ、移動装置4のレール41に沿って希望する腰部位置まで移動させ、止め溝42のなかに固定し、柔軟体31から人体の腰部へ前へ押す力を与え、同時に人体から後ろへ寄りかかる力が出、柔軟体31は圧掛かるとき、人体の腰部に合わせて後ろへ曲がり、人体を押す力が強くなり、人体は支えられる。そして座る者の腰部、背中、筋肉及び神経は圧迫される状況が改善される。本発明の実施方式と効果は実施例2とほぼ同じである。
【００２３】
実施例4
図7の如く、本発明における椅子は人体がちょっと前へ傾ける時にも適用する。座る者がちょっと前へ傾ける時、柔らかい支え部品3を上げ、腰部にくっつくようにし、腰部が支えられ、腰部に掛かる重量を軽減させる。本発明の実施方式と効果は実施例2とほぼ同じである。
【００２４】
前記の柔らかい支え部品はハンドルとつないでおり、柔らかい支え部品は使用者の腰部の高さにより、ハンドルの昇降で調整し、柔らかい支え部品を人体の腰部にくっつくようにすることができる。
【００２５】
本発明で述べられている柔らかい支え部品は椅子のシート、椅子の背、ベース部品と一緒に、腰部支えセットを形成する。
【図面の簡単な説明】
【００２６】
【図１】本発明の構造を示す図面である
【図２】柔らかい支え部品の構造を示す図面である。
【図３】移動装置の構造を示す図面である。
【図４】柔らかい支え部品の自動復元後の図面である（元の状態）。
【図５】本発明の実施例2の使用状態の側面図面である。
【図６】本発明の実施例3の使用状態の側面図面である。
【図７】本発明の実施例4の使用状態の側面図面である。
【符号の説明】
【００２７】
1  椅子、2  椅子の背、3  柔らかい支え部品、4  移動装置、5  ハンドル、
6  椅子のシート  7  ベース部品、31  柔軟体、32  中心軸
33  位置づけボタン、41  レール、42  止め溝
【図１】
2008544778.tif 000002
【図２】
2008544778.tif 000003
【図３】
2008544778.tif 000004
【図４】
2008544778.tif 000005
【図５】
2008544778.tif 000006
【図６】
2008544778.tif 000007
【図７】
2008544778.tif 000008
【国際調査報告】
2008544778.tif 000009
2008544778.tif 000010
2008544778.tif 000011
2008544778.tif 000012
2008544778.tif 000013